(57)【要約】【課題】  光ディスクドライブ機器の生産・検査ラインなどにおいて、ディスクの取り違えを無くすこと。【解決手段】  複数のディスクトレイ（３ａ〜３ｅ）と、各ディスクトレイ（３ａ〜３ｅ）を収納するラック本体（２）と、第１番目のディスクトレイ（３ａ）の開口部（２ａ）と反対側の端部に固定され、第２番目以降のすべてのディスクトレイ（３ｂ〜３ｅ）の開口部（２ａ）と反対側の端部に当接する当接板（６）と、を備え、第１番目のディスクトレイ（３ａ）が開口部（２ａ）から進出すると同時に当接板（６）に当接する第２番目以降のすべてのディスクトレイ（３ｂ〜３ｅ）が開口部（２ａ）から進出する一方、第１番目のディスクトレイ（３ａ）をラック本体（２）に退避させると、第２番目以降のすべてのディスクトレイ（３ｂ〜３ｅ）がラック本体（２）に退避可能となる。【選択図】  図６
2008024358.tif 000002
【特許請求の範囲】
【請求項１】
ディスクを収納する凹部が設けられた複数のディスクトレイと、
一端に開口部を有し、前記各ディスクトレイをトレイ面の方向に対して平行に並べるように収納するラック本体と、
前記ラック本体に設けられ、前記各ディスクトレイが前記開口部から進出または退避するように前記各ディスクトレイをそれぞれスライド可能に支持する複数の溝部と、
第１番目のディスクトレイの前記開口部と反対側の端部に固定され、第２番目以降のすべての前記ディスクトレイの前記開口部と反対側の端部に当接する当接板と、を備え、
前記第１番目のディスクトレイが前記開口部から進出すると同時に前記当接板に当接する第２番目以降のすべてのディスクトレイが前記開口部から進出する一方、前記第１番目のディスクトレイを前記開口部から前記ラック本体に退避させると、第２番目以降のすべてのディスクトレイが前記開口部から前記ラック本体に退避可能となることを特徴とするディスクラック。
【請求項２】
ディスクを収納する凹部が設けられた複数のディスクトレイと、
一端に開口部を有し、前記各ディスクトレイをトレイ面の方向に対して平行に並べるように収納するラック本体と、
前記ラック本体に設けられ、前記各ディスクトレイが前記開口部から進出または退避するように前記各ディスクトレイをそれぞれスライド可能に支持する複数の溝部と、
前記各ディスクトレイの前記開口部と反対側の端部に設けられ、前記凹部と反対側へ突出し、隣接するディスクトレイの前記開口部と反対側の端部に当接する当接部と、を備え、
第１番目のディスクトレイが前記開口部から進出すると同時に第２番目以降のすべてのディスクトレイが前記開口部から進出する一方、第ｎ番目（ｎはディスクトレイの最大数未満の自然数）のディスクトレイを単独でまたはそれ以前のすべてのディスクトレイと共に前記開口部から前記ラック本体に退避させると、第ｎ＋１番目のディスクトレイが単独で前記開口部から前記ラック本体に退避可能となることを特徴とするディスクラック。
【請求項３】
前記凹部にクッション材が設けられていることを特徴とする請求項１または請求項２記載のディスクラック。
【請求項４】
前記クッション材は、静電気防止対策が施され、または導電性を有する素材で成形されていることを特徴とする請求項３記載のディスクラック。
【請求項５】
前記ラック本体は、収納状態で前記各ディスクトレイを接地する接地部材を備えていることを特徴とする請求項１から請求項４のいずれかに記載のディスクラック。
【請求項６】
前記各ディスクトレイは、前記開口部側に設けられた切り欠き部と、前記凹部の中央に設けられた貫通孔と、を備えていることを特徴とする請求項１から請求項５のいずれかに記載のディスクラック。
【請求項７】
前記各ディスクトレイの前記開口部と反対側の端部において前記溝部方向へ突出するストッパと、
前記溝部の開口部側近傍で突出する係止ピンと、をさらに備えることを特徴とする請求項１から請求項６のいずれかに記載のディスクラック。
【発明の詳細な説明】
【技術分野】
【０００１】
本発明は、ＤＶＤやＣＤなどのディスクを収納するディスクラックに関する。
【背景技術】
【０００２】
従来、例えば、実開平７−４２７５８号公報では、ディスク型記録媒体を容易に保護し、ブックレットの収納部を有する記録媒体収納ケースが開示されている。この記録媒体収納ケースは、紙製素材からなる箱状収納ケースであって、一対の蛇腹状の側壁でディスク型記録媒体を浮かせて挟持して保持する。また、ケースの一面と間隔をおいて外壁面を設け、外壁面とケースの一面との間の空間をブックレットの収納部としている。
【０００３】
また、例えば、特開２００４−０７５１１３号公報では、ケース入りのコンパクトディスク等を立てた状態で保持し、かつディスクケースが１枚用でも２枚用でも個別に支持することのできるようにしたディスクラックが開示されている。このディスクラックは、収納すべきディスクのケース周面を保持する２本以上の横桟と、この横桟を取り付ける端板と、横桟に装着されたスペーサーとから構成されている。そして、そのスペーサーは、横桟に装着される筒状部と、この筒状部の端部に形成されディスクの側壁に接する鍔とを有し、筒状部の長さはディスク１枚用のケースの厚さと同等として構成されている。
【特許文献１】実開平７−４２７５８号公報
【特許文献２】特開２００４−０７５１１３号公報
【発明の開示】
【発明が解決しようとする課題】
【０００４】
光ディスクドライブ機器の生産・検査ラインにおいては、機器の調整および検査に多数のディスクを使用しなければならない。作業者は、その多数のディスクを決められた順に機器に挿入し、調整あるいは検査を行なう。しかしながら、それぞれの作業者は、一人で複数台の機器の調整および検査を、並列作業にて行なっているため、場合によってはディスクを取り違える事がある。光ディスクドライブ機器の生産・検査ラインでは、このようなディスクの取り違いを防止する必要がある。
【０００５】
しかし、上述したように、ディスクを収納する技術は種々のものが提案されているが、従来の技術では、収納されているディスクのうち、任意のディスクを容易に取り出すことができるように構成されているため、ディスクの取り違えを防ぐ事が出来ない。また、従来の技術では、ディスクを取り出し、または収納する際に手間がかかり、時間を要するため、生産ラインにおいて、頻繁にディスクの出し入れを行なう為に使用する収納ケースとしては適切ではない。従って、現在のところ、複数枚のディスクを平面に並べ置いて使用している。このため、ディスクの取り違えが発生するばかりでなく、ディスクを置く場所として大きな面積が必要になる。
【０００６】
本発明は、このような事情に鑑みてなされたものであり、光ディスクドライブ機器の生産・検査ラインなどにおいて、ディスクの取り違えを無くすことができるディスクラックを提供することを目的とする。
【課題を解決するための手段】
【０００７】
（１）上記の目的を達成するために、本発明は、以下のような手段を講じた。すなわち、本発明のディスクラックは、ディスクを収納する凹部が設けられた複数のディスクトレイと、一端に開口部を有し、前記各ディスクトレイをトレイ面の方向に対して平行に並べるように収納するラック本体と、前記ラック本体に設けられ、前記各ディスクトレイが前記開口部から進出または退避するように前記各ディスクトレイをそれぞれスライド可能に支持する複数の溝部と、第１番目のディスクトレイの前記開口部と反対側の端部に固定され、第２番目以降のすべての前記ディスクトレイの前記開口部と反対側の端部に当接する当接板と、を備え、前記第１番目のディスクトレイが前記開口部から進出すると同時に前記当接板に当接する第２番目以降のすべてのディスクトレイが前記開口部から進出する一方、前記第１番目のディスクトレイを前記開口部から前記ラック本体に退避させると、第２番目以降のすべてのディスクトレイが前記開口部から前記ラック本体に退避可能となることを特徴としている。
【０００８】
このように、第１番目のディスクトレイの開口部と反対側の端部に、第２番目以降のすべてのディスクトレイの開口部と反対側の端部に当接する当接板が固定されているので、第１番目のディスクトレイが開口部から進出すると同時に当接板に当接する第２番目以降のすべてのディスクトレイが開口部から進出することとなる。これにより、一度にすべてのディスクトレイを引き出すことができるので、作業の効率化を図ることができる。また、第１番目のディスクトレイ以降、順序が先であるディスクトレイからディスクを取り出し、そのディスクトレイを退避させないと、順序が後のディスクトレイからディスクを取り出すことができないため、予め定められた順序通りに取り出すべきディスクを取り出すことが可能となる。その結果、ディスクの取り違えを無くすことが可能となる。
【０００９】
（２）また、本発明のディスクラックは、ディスクを収納する凹部が設けられた複数のディスクトレイと、一端に開口部を有し、前記各ディスクトレイをトレイ面の方向に対して平行に並べるように収納するラック本体と、前記ラック本体に設けられ、前記各ディスクトレイが前記開口部から進出または退避するように前記各ディスクトレイをそれぞれスライド可能に支持する複数の溝部と、前記各ディスクトレイの前記開口部と反対側の端部に設けられ、前記凹部と反対側へ突出し、隣接するディスクトレイの前記開口部と反対側の端部に当接する当接部と、を備え、第１番目のディスクトレイが前記開口部から進出すると同時に第２番目以降のすべてのディスクトレイが前記開口部から進出する一方、第ｎ番目（ｎはディスクトレイの最大数未満の自然数）のディスクトレイを単独でまたはそれ以前のすべてのディスクトレイと共に前記開口部から前記ラック本体に退避させると、第ｎ＋１番目のディスクトレイが単独で前記開口部から前記ラック本体に退避可能となることを特徴としている。
【００１０】
このように、各ディスクトレイの開口部と反対側の端部に、凹部と反対側へ突出し、隣接するディスクトレイの開口部と反対側の端部に当接する当接部が設けられているので、第１番目のディスクトレイが開口部から進出すると、第１番目のディスクトレイに設けられている当接部が第２番目のディスクトレイの開口部と反対側の端部に当接し、第１番目のディスクトレイと同時に第２番目のディスクトレイが開口部から進出する。また、第２番目のディスクトレイが開口部から進出すると、第２番目のディスクトレイに設けられている当接部が第３番目のディスクトレイの開口部と反対側の端部に当接し、第２番目のディスクトレイと同時に第３番目のディスクトレイが開口部から進出する。さらに順次、各ディスクトレイに設けられている当接部が、順序が次であるディスクトレイの開口部と反対側の端部に当接するため、一度にすべてのディスクトレイを引き出すことができ、作業の効率化を図ることができる。また、第１番目のディスクトレイ以降、順序が先であるディスクトレイからディスクを取り出し、そのディスクトレイを退避させないと、順序が後のディスクトレイからディスクを取り出すことができないため、予め定められた順序通りに取り出すべきディスクを取り出すことが可能となる。その結果、ディスクの取り違えを無くすことが可能となる。
【００１１】
（３）また、本発明のディスクラックにおいて、前記凹部にクッション材が設けられていることを特徴としている。
【００１２】
このように、凹部にクッション材が設けられているため、収納されるディスクに傷が付くことを防止することができる。
【００１３】
（４）また、本発明のディスクラックにおいて、前記クッション材は、静電気防止対策が施され、または導電性を有する素材で成形されていることを特徴としている。
【００１４】
このように、クッション材は、静電気防止対策が施され、または導電性を有する素材で成形されているので、ディスクが帯電していた場合や、ディスクをディスクトレイから取り出しまたは収納する際に、摩擦により静電気を生じてディスクが帯電した場合でも、ディスクラックに収納している間にその静電気をクッション材へ吸収させ、ディスクから静電気を取り除くことが可能となる。
【００１５】
（５）また、本発明のディスクラックにおいて、前記ラック本体は、収納状態で前記各ディスクトレイを接地する接地部材を備えていることを特徴としている。
【００１６】
このように、ラック本体は、収納状態で各ディスクトレイを接地する接地部材を備えているので、ディスクが帯電していた場合や、ディスクをディスクトレイから取り出しまたは収納する際に、摩擦により静電気を生じてディスクが帯電した場合でも、ディスクラックに収納している間にその静電気を外部へ逃がし、ディスクから静電気を取り除くことが可能となる。
【００１７】
（６）また、本発明のディスクラックにおいて、前記各ディスクトレイは、前記開口部側に設けられた切り欠き部と、前記凹部の中央に設けられた貫通孔と、を備えていることを特徴としている。
【００１８】
このように、各ディスクトレイは、開口部側に設けられた切り欠き部と、凹部の中央に設けられた貫通孔とを備えているので、作業者は、ディスクラックからディスクを取り出す際に、親指と他のいずれか指とでディスクつまみやすくなる。
【００１９】
（７）また、本発明のディスクラックにおいて、前記各ディスクトレイの前記開口部と反対側の端部において前記溝部方向へ突出するストッパと、前記溝部の開口部側近傍で突出する係止ピンと、をさらに備えることを特徴としている。
【００２０】
このように、各ディスクトレイの開口部と反対側の端部において、溝部方向へ突出するストッパと、溝部の開口部側近傍で突出する係止ピンとを備えているので、作業者が第１番目のディスクトレイをスライドさせて進出させると、開口部側の近傍で、上記各ストッパと各係止ピンとが当接することとなる。これにより、作業者がディスクトレイを引き出しすぎてディスクトレイがラック本体から外れてしまう事態を回避することが可能となる。
【発明の効果】
【００２１】
本発明によれば、第１番目のディスクトレイ以降、順序が先であるディスクトレイからディスクを取り出し、そのディスクトレイを退避させないと、順序が後のディスクトレイからディスクを取り出すことができないため、予め定められた順序通りに取り出すべきディスクを取り出すことが可能となる。その結果、ディスクの取り違えを無くすことが可能となる。
【発明を実施するための最良の形態】
【００２２】
（第１の実施形態）
図１は、第１の実施形態に係るディスクラックの正面図である。このディスクラック１は、ラック本体２と、第１番目から第５番目のディスクトレイ３ａ〜３ｅとから構成されている。ラック本体２は、正面に開口する開口部２ａを有しており、この開口部２ａから各ディスクトレイ３ａ〜３ｅが進出しまたは退避する。また、ラック本体２には、各ディスクトレイ３ａ〜３ｅをスライド可能にそれぞれ支持する溝部４ａ〜４ｅが設けられている。また、ラック本体２には、第２番目から第５番目の各ディスクトレイ３ｂ〜３ｅを引き出しすぎて外してしまうことを防止するための係止ピン５ｂ〜５ｅが設けられている。これらの係止ピン５ｂ〜５ｅは、ラック本体２の側面を貫通し、溝部４ｂから４ｅの表面に突出するように設けられている。
【００２３】
図２は、第１番目のディスクトレイ３ａの平面図である。図１および図２に示すように、第１番目のディスクトレイ３ａの開口部２ａの反対側の端部には、２枚の当接板６が固定されている。この当接板６は、導電性材料により成形されており、収納時に、第２番目から第５番目のディスクトレイ３ｂ〜３ｅの開口部２ａの反対側の端部に当接している。また、第１番目のディスクトレイ３ａの開口部２ａ側の端部には、作業者が各ディスクトレイ３ａを引き出しやすくするためのツマミ７が設けられている。
【００２４】
図３は、第２番目のディスクトレイ３ｂの平面図である。なお、第３番目から第５番目のディスクトレイも第２番目のディスクトレイと同様の平面図に表わされる。図１および図３に示すように、第２番目から第５番目のディスクトレイ３ｂ〜３ｅの側面（溝部４ｂ〜４ｅ側）には、係止ピン５ｂ〜５ｅを通すための溝８ｂ〜８ｅが設けられている。第２番目から第５番目のディスクトレイ３ｂ（〜３ｅ：図示していない。）の側面にはストッパ１０ｂ（〜１０ｅ：図示していない）が設けられており、第２番目から第５番目のディスクトレイ３ｂ〜３ｅを開口部２ａから進出させると、脱落する位置に到達する前にストッパ１０ｂ〜１０ｅが、係止ピン５ｂ〜５ｅと当接するので、第２番目から第５番目のディスクトレイ３ｂ〜３ｅが進出しすぎてラック本体２から脱落することを防止することが可能となる。
【００２５】
なお、第１番目のディスクトレイ３ａの側面には溝やストッパは設けられていない。これは、第１番目のディスクトレイ３ａには、第２番目から第５番目のディスクトレイ３ｂ〜３ｅの開口部２ａの反対側の端部に当接する当接板６が設けられているので、第２番目から第５番目のディスクトレイ３ｂ〜３ｅが、ストッパ１０ｂ〜１０ｅと係止ピン５ｂ〜５ｅとが当接することにより停止すると、それらに当接している当接板６によって、第１番目のディスクトレイ３ａが脱落する位置に到達するまでに止めることができるからである。
【００２６】
また、図２および図３に示すように、各ディスクトレイ３ａ、３ｂには、ディスクを収納する凹部２０ａ、２０ｂが設けられている。また、各ディスクトレイ３ａ、３ｂには、開口部２ａ側に設けられた切り欠き部２１ａ、２１ｂと、凹部２０ａ、２０ｂの中央に設けられた貫通孔２２ａ、２２ｂと、が設けられている。このため、作業者は、ディスクラック１からディスクを取り出す際に、親指と他のいずれか指とでディスクつまみやすくなる。
【００２７】
また、図１に示すように、各ディスクトレイ３ａ〜３ｅの上面には、導電性を有する素材からなるクッション材９ａ〜９ｅが設けられている。このように、凹部２０ａ、２０ｂにクッション材９ａ〜９ｅが設けられているため、収納されるディスクに傷が付くことを防止することができる。また、クッション材９ａ〜９ｅが導電性を有する素材で成形されているので、ディスクが帯電していた場合や、ディスクをディスクトレイから取り出しまたは収納する際に、摩擦により静電気を生じてディスクが帯電した場合でも、ディスクラックに収納している間にその静電気をクッション材へ吸収させ、ディスクから静電気を取り除くことが可能となる。なお、クッション材９ａ〜９ｅに対して、静電気防止対策を施しても良い。
【００２８】
図４は、ディスクラックをＡ−Ａ線により切断した断面図であり、すべてのディスクトレイ３ａ〜３ｅがラック本体２に収納されている状態を示している。当接板６は、導電性部材４０と接触しており、導電性部材４０は、接地部材４１を介して接地されている。このように、ラック本体２が、ディスクトレイ３ａ〜３ｅの収納状態で各ディスクトレイを接地する導電性部材４０と接地部材４１を備えているので、ディスクが帯電していた場合や、ディスクをディスクトレイから取り出しまたは収納する際に、摩擦により静電気を生じてディスクが帯電した場合でも、ディスクラックに収納している間にその静電気を外部へ逃がし、ディスクから静電気を取り除くことが可能となる。
【００２９】
図５は、ディスクラックをＡ−Ａ線により切断した断面図であり、すべてのディスクトレイ３ａ〜３ｅがラック本体２の開口部２ａから進出した状態を示している。すなわち、第１番目のディスクトレイ３ａが進出すると、それに伴って当接板６が進出し、その当接板６に当接している第２番目から第５番目のディスクトレイ３ｂ〜３ｅが開口部２ａから進出する。そして、第２番目から第５番目のディスクトレイ３ｂ〜３ｅは、脱落する位置に到達する前に係合ピンおよびストッパ同士が当接するため、それらが当接する位置で停止する。その結果、第１番目のディスクトレイ３ａも、図５に示すように停止することとなる。
【００３０】
図５において、作業者が第１番目のディスクトレイ３ａに収納されていたディスクを取り出し、またはディスクを収容し、第１番目のディスクトレイ３ａをラック本体２の開口部２ａと反対側へ退避させる。図６は、第１番目のディスクトレイ３ａをラック本体２の開口部２ａと反対側へ退避させている途中の状態を示している。すると、第２番目のディスクトレイ３ｂが出現する。これにより、第２番目のディスクトレイ３ｂに収納されているディスクを取り出し、またはディスクを収容すことができる。
【００３１】
このように、第１番目のディスクトレイ３ａ以降、順序が先であるディスクトレイからディスクを取り出し、そのディスクトレイを退避させないと、順序が後のディスクトレイからディスクを取り出すことができないため、予め定められた順序通りに取り出すべきディスクを取り出すことが可能となる。その結果、ディスクの取り違えを無くすことが可能となる。
【００３２】
（第２の実施形態）
図７は、第２の実施形態にかかるディスクラック５０の断面図である。第２の実施形態では、第１の実施形態の当接板６に代えて、導電性を有する素材で成形され、各ディストレイ３ａ〜３ｅの下側に突出する第１の当接部５１ａ〜５１ｅと、各ディストレイ３ａ〜３ｅの上側に突出する第２の当接部５２ａ〜５２ｅと、を設けている。そして、第１番目のディスクトレイ３ａに設けられた第１の当接部５１ａは、開口部２ａ側の面で、第２番目のディスクトレイ３ｂに設けられた第２の当接部５２ｂに当接する。また、第２番目のディスクトレイ３ｂに設けられた第１の当接部５１ｂは、開口部２ａ側の面で、第３番目のディスクトレイ３ｃに設けられた第２の当接部５２ｃに当接する。また、第３番目のディスクトレイ３ｃに設けられた第１の当接部５１ｃは、開口部２ａ側の面で、第４番目のディスクトレイ３ｄに設けられた第２の当接部５２ｄに当接する。また、第４番目のディスクトレイ３ｄに設けられた第１の当接部５１ｄは、開口部２ａ側の面で、第５番目のディスクトレイ３ｅに設けられた第２の当接部５２ｅに当接する。
【００３３】
このように、各ディスクトレイ３ａ〜３ｅの開口部２ａと反対側の端部に、第１および第２の当接部がそれぞれ設けられているので、第１番目のディスクトレイ３ａが開口部２ａから進出すると、第１番目のディスクトレイ３ａに設けられている第１の当接部５１ａが第２番目のディスクトレイ３ｂに設けられている第２の当接部５２ｂに当接し、第１番目のディスクトレイ３ａと同時に第２番目のディスクトレイ３ｂが開口部２ａから進出する。また、第２番目のディスクトレイ３ｂが開口部２ａから進出すると、第２番目のディスクトレイ３ｂに設けられている第１の当接部５１ｂが第３番目のディスクトレイ３ｃに設けられている第２の当接部５２ｃに当接し、第２番目のディスクトレイ３ｂと同時に第３番目のディスクトレイ３ｃが、開口部２ａから進出する。さらに順次、各ディスクトレイに設けられている第１の当接部が、順序が次であるディスクトレイに設けられている第２の当接部に当接するため、一度にすべてのディスクトレイを引き出すことができ、作業の効率化を図ることができる。
【００３４】
図８は、第１番目のディスクトレイ３ａを完全に退避させた後、第２番目のディスクトレイ３ｂを退避させている途中の状態を示す断面図である。このように、第２番目のディスクトレイ３ｂを退避させないと、第３番目のディスクトレイ３ｃに収納されているディスクを取り出すことができない。このため、予め定められた順序通りに取り出すべきディスクを取り出すことが可能となる。その結果、ディスクの取り違えを無くすことが可能となる。
【００３５】
なお、以上の説明では、ラック本体２に収納されるディスクトレイが５つである場合を示したが、本発明は、これに限定されるわけではない。また、ラック全体に静電気防止対策が施されている事がより望ましい。
【図面の簡単な説明】
【００３６】
【図１】第１の実施形態に係るディスクラックの正面図である。
【図２】第１番目のディスクトレイの平面図である。
【図３】第２番目（第３番目から第５番目）のディスクトレイの平面図である。
【図４】ディスクラックをＡ−Ａ線により切断した断面図である。
【図５】ディスクラックをＡ−Ａ線により切断した断面図である。
【図６】ディスクラックをＡ−Ａ線により切断した断面図である。
【図７】第２の実施形態に係るディスクラックの断面図である。
【図８】第２の実施形態に係るディスクラックの断面図である。
【符号の説明】
【００３７】
１  ディスクラック
２  ラック本体
２ａ  開口部
３ａ〜３ｅ  ディスクトレイ
４ａ〜４ｅ  溝部
５ｂ〜５ｅ  係止ピン
６  当接板
７  ツマミ
８ｂ〜８ｅ  溝
９ａ〜９ｅ  クッション材
１０ｂ〜１０ｅ  ストッパ
２０ａ、２０ｂ  凹部
２１ａ、２１ｂ  切り欠き部
２２ａ、２２ｂ  貫通孔
４０  導電性部材
４１  接地部材
５０  ディスクラック
５１ａ、５１ｂ、５１ｃ、５１ｄ、５１ｅ  第１の当接部
５２ａ、５２ｂ、５２ｃ、５２ｄ、５２ｅ  第２の当接部
【図１】
2008024358.tif 000003
【図２】
2008024358.tif 000004
【図３】
2008024358.tif 000005
【図４】
2008024358.tif 000006
【図５】
2008024358.tif 000007
【図６】
2008024358.tif 000008
【図７】
2008024358.tif 000009
【図８】
2008024358.tif 000010